(57)【要約】【課題】回転子の破損を防止することができ、振動や騒音の発生を好適に抑制することが可能なモータを提供する。【解決手段】空気調和機１のモータ５０は、ロータ７０が径方向の内外に分割された外側コア７２ａ及び内側コア７２ｂと、それらの間に形成されて弾性体７５を収容する収容部７４とを含む。収容部７４は直径が異なる略円筒部７４ａ、７４ｂと、外側コア７２ａの平面７２ｃと内側コア７２ｂの平面７２ｄとの間で略直方体状の空間を成して隣接する内外の略円筒部７４ａ、７４ｂを連結する連結部７４ｃとを備える。連結部７４ｃは外側の略円筒部７４ａのロータ軸線方向と直角を成す円形断面における弦Ｌに沿うように配置されて外側コア７２ａの平面７２ｃと内側コア７２ｂの平面７２ｄとの間隔ｗ２が他の領域における外側コア７２ａの内面と内側コア７２ｂの外面との間隔ｗ３、ｗ４よりも狭い。【選択図】図９
2017077111.tif 000002
【特許請求の範囲】
【請求項１】
固定子と、回転子とを有するモータであって、
前記回転子が、
外周面に永久磁石が設けられた略円筒状を成す外側コアと、
前記外側コアの径方向内側に配置されて軸心部に回転軸が設けられた略円筒状を成す内側コアと、
前記外側コアの内周面と前記内側コアの外周面との間に配置された弾性体と、
前記外側コアの内周面と前記内側コアの外周面との間に形成されて前記弾性体を収容する収容部と、
を含み、
前記収容部は、
直径が異なる複数の略円筒部と、
前記外側コアの平面と前記内側コアの平面との間でそれら平面が対向する略直方体状の空間を成して隣接する内外の前記略円筒部を連結する連結部と、
を備えるとともに、
前記連結部が外側の前記略円筒部の回転子軸線方向と直角を成す円形断面における弦に沿うように配置されて前記外側コアの平面と前記内側コアの平面との間隔が他の領域における前記外側コアの内面と前記内側コアの外面との間隔よりも狭いことを特徴とするモータ。
【請求項２】
前記収容部の前記連結部は、前記外側コアの平面と前記内側コアの平面との間隔が前記固定子の内周面と前記回転子の外周面との間隔の二倍以下であることを特徴とする請求項１に記載のモータ。
【請求項３】
請求項１または請求項２に記載のモータを備えることを特徴とする空気調和機。
【発明の詳細な説明】
【技術分野】
【０００１】
本発明は、モータ及びそのモータを備えた空気調和機に関する。
【背景技術】
【０００２】
従来、空気調和機のファン用などのモータとして直流ブラシレスモータが広く利用されている。しかしながら、直流ブラシレスモータを駆動する場合、振動や騒音が発生し易いことが懸念されていた。そこで、振動や騒音の発生の抑制が図られた直流ブラシレスモータに係る技術が提案され、その一例が特許文献１に開示されている。
【０００３】
特許文献１に記載された従来の直流ブラシレスモータは回転子をその径方向に関して外側コアと内側コアとに分割している。外側コア及び内側コアは互いに略円筒状を成し、それらコアの間にゴムなどから成る緩衝材を介在させている。さらに、この回転子は外側コア、内側コア及び緩衝材の三者相互の空回りを防止するために、外側コア及び内側コアの各々が緩衝材に向かって延びる突起部を備える。そして、その緩衝材を利用してモータの駆動時に発生する振動を吸収し、騒音の発生を抑制するようにしている。
【先行技術文献】
【特許文献】
【０００４】
【特許文献１】特開平６−１０５５１７号公報
【発明の概要】
【発明が解決しようとする課題】
【０００５】
しかしながら、特許文献１に記載された従来の直流ブラシレスモータは、回転子の外側コアと内側コアとが最も接近する領域において内側コアが弾性体である緩衝材に向かって延びる突起部を備えるので、緩衝材の当該領域に応力集中が発生し易いことに課題があった。特に、径方向に力が加わった場合に緩衝材への負荷が増大する可能性があった。これにより、内側コアの突起部周辺において緩衝材に損傷や破断が発生する虞があることが懸念された。
【０００６】
本発明は、上記の点に鑑みなされたものであり、回転子の破損を防止することができ、振動や騒音の発生を好適に抑制することが可能なモータ及びそのモータを備えた空気調和機を提供することを目的とする。
【課題を解決するための手段】
【０００７】
上記の課題を解決するため、本発明は固定子と、回転子とを有するモータであって、前記回転子が、外周面に永久磁石が設けられた略円筒状を成す外側コアと、前記外側コアの径方向内側に配置されて軸心部に回転軸が設けられた略円筒状を成す内側コアと、前記外側コアの内周面と前記内側コアの外周面との間に配置された弾性体と、前記外側コアの内周面と前記内側コアの外周面との間に形成されて前記弾性体を収容する収容部と、を含み、前記収容部は、直径が異なる複数の略円筒部と、前記外側コアの平面と前記内側コアの平面との間でそれら平面が対向する略直方体状の空間を成して隣接する内外の前記略円筒部を連結する連結部と、を備えるとともに、前記連結部が外側の前記略円筒部の回転子軸線方向と直角を成す円形断面における弦に沿うように配置されて前記外側コアの平面と前記内側コアの平面との間隔が他の領域における前記外側コアの内面と前記内側コアの外面との間隔よりも狭いことを特徴とする。
【０００８】
この構成によると、回転子の外側コアと内側コアとが最も接近する領域が連結部であって、それらコア各々の平面が連結部で対向する。連結部は外側コアと内側コアとの径方向の相対的なずれ（偏心）をできるだけ小さくする。また、連結部では平面どうしが接近するので、連結部でモータの駆動時に発生する力が分散されて応力集中の発生が抑制される。また、連結部が外側の略円筒部の回転子軸線方向と直角を成す円形断面における弦に沿うように配置されるので、連結部を構成する略直方体状の空間が回転子の径方向や周方向とは異なる方向に延びる。これにより、モータの駆動時にロータの径方向や周方向に力が発生した場合でも、その力を連結部で分散させる作用が高められる。
【０００９】
また、上記構成のモータにおいて、前記収容部の前記連結部は、前記外側コアの平面と前記内側コアの平面との間隔が前記固定子の内周面と前記回転子の外周面との間隔の二倍以下であるようにしても良い。
【００１０】
また本発明は、上記構成のモータを空気調和機に設けても良い。
【発明の効果】
【００１１】
本発明の構成によれば、回転子の外側コアと内側コアとが最も接近する領域において外側コアと内側コアとの径方向の相対的なずれ（偏心）をできるだけ小さくすることが可能であり、弾性体に応力集中が発生することを抑制することができる。したがって、回転子の破損を防止することができ、振動や騒音の発生を好適に抑制することが可能になる。
【図面の簡単な説明】
【００１２】
【図１】本発明の第１実施形態の空気調和機の概略構成図であって、暖房運転時の状態を示すものである。
【図２】本発明の第１実施形態の空気調和機の概略構成図であって、冷房運転時の状態を示すものである。
【図３】本発明の第１実施形態の空気調和機の室外機の外観斜視図である。
【図４】本発明の第１実施形態の空気調和機の室外機の斜視図にして、上部カバーを取り外した状態を示すものである。
【図５】本発明の第１実施形態の空気調和機の室内機の外観斜視図である。
【図６】本発明の第１実施形態の空気調和機の室内機の斜視図にして、前部カバー及び室内熱交換器等を取り外した状態を示すものである。
【図７】本発明の第１実施形態のモータの垂直断面図である。
【図８】本発明の第１実施形態のモータの水平断面図である。
【図９】本発明の第１実施形態のモータのロータの部分水平断面図である。
【図１０】本発明の第１実施形態のモータのロータの収容部の部分水平断面図である。
【図１１】本発明の第２実施形態のモータのロータの水平断面図である。
【図１２】本発明の第３実施形態のモータのロータの水平断面図である。
【発明を実施するための形態】
【００１３】
以下、本発明の実施形態を図面に基づき説明する。
【００１４】
＜第１実施形態＞
最初に、本発明の第１実施形態の空気調和機について、図１〜図６を用いてその構造と動作の概略を説明する。図１及び図２は各々空気調和機の概略構成図であって、暖房運転時及び冷房運転時の状態を示すものである。図３及び図４は空気調和機の室外機の外観斜視図及び上部カバー（一部）を取り外した状態の斜視図である。図５及び図６は空気調和機の室内機の外観斜視図及び前部カバー及び室内熱交換器等を取り外した状態の斜視図である。
【００１５】
空気調和機１は、図１及び図２に示すように室外機１０と室内機３０とで構成されるセパレート型の空気調和機である。
【００１６】
室外機１０は、例えば屋外の床面上に設置されるものであって、合成樹脂部品と板金部品とで構成される矩形箱型の筐体１１を備える（図３及び図４参照）。筐体１１は上部カバー１１ａ及び底板１１ｂを備える。筐体１１の内部には図１、図２、図３及び図４に示す圧縮機１２、切替弁１３、膨張弁１４、室外送風機１５、室外熱交換器１６などを収納する。
【００１７】
切替弁１３は暖房運転時、冷房運転時などの異なる運転モードにおいて冷媒の流通方向を切り替えるための四方弁である。膨張弁１４には開度制御の可能なものが用いられる。なお、膨張弁に代えてキャピラリーチューブを用いても良い。
【００１８】
室外送風機１５は筐体１１の内壁に隣接して設けたプロペラファン１５ａと、これを回転させるモータ５０とを組み合わせたものである。筐体１１には空気の吸込口１１ｃ及び吹出口１１ｄが設けられる。室外熱交換器１６は室外送風機１５に近接して配置される。室外送風機１５を駆動すると、外部から吸込口１１ｃを通って筐体１１内に吸い込まれた外気が室外熱交換器１６を通過し、室外熱交換器１６とその外気との間で熱交換が行われる。
【００１９】
室外機１０は２本の冷媒配管１７、１８で室内機３０に接続される。冷媒配管１７には液体冷媒が流れ、冷媒配管１８に比較して細い管が用いられる。そのため冷媒配管１７は例えば「液管」、「細管」などと称されることがある。冷媒配管１８には気体冷媒が流れ、冷媒配管１７に比較して太い管が用いられる。そのため冷媒配管１８は例えば「ガス管」、「太管」などと称されることがある。冷媒には例えばＨＦＣ系のＲ４１０ＡやＲ３２等が用いられる。また、冷媒にＲ２２を用いることもある。
【００２０】
室外機１０の内部の冷媒配管１９、２０に関して、冷媒配管１７に接続される冷媒配管１９には二方弁２１が設けられ、冷媒配管１８に接続される冷媒配管２０には三方弁２２が設けられる。二方弁２１と三方弁２２は室外機１０から冷媒配管１７、１８が取り外されるときに閉じられ、室外機１０から外部に冷媒が漏れることを防ぐ。室外機１０から、あるいは空気調和機１全体から、冷媒を回収する必要があるときは三方弁２２を通じて回収が行われる。
【００２１】
室内機３０は、例えば室内の壁面の天井近くに設置されるものであって水平方向に延びる横長の形態をなし、合成樹脂部品で構成される筐体３１を備える（図５及び図６参照）。筐体３１は前カバー３１ａ及び後カバー３１ｂを備える。筐体３１には図１、図２、図５及び図６に示す室内送風機３２、室内熱交換器３３、ルーバー３４などが設けられる。
【００２２】
室内送風機３２は筐体３１の形状に沿って水平方向に横長に延びるクロスフローファン３２ａと、これを回転させるモータ５０とを組み合わせたものである。筐体３１には空気の吸込口３１ｃ及び吹出口３１ｄが設けられる。室内熱交換器３３はクロスフローファン３２ａ同様に水平方向に延び、３個（室内熱交換器３３Ａ、３３Ｂ、３３Ｃ）が組み合わされて構成される。３個の室内熱交換器３３は室内送風機３２のクロスフローファン３２ａの上方や前方を覆うように配置される。室内熱交換器３３には室外機１０から送り出された冷媒が流入する。室内送風機３２を駆動すると、吸込口３１ｃを通って筐体３１内に吸い込まれた室内空気が室内熱交換器３３を通過し、室内熱交換器３３とその室内空気との間で熱交換が行われる。
【００２３】
また、室内機３０は室外機１０を含む空気調和機１全体の動作制御を行うために、筐体３１の内部に不図示の主制御部を収容している。主制御部は不図示の演算部や記憶部等を備え、記憶部等に記憶、入力されたプログラム、データに基づき室内温度がユーザによって設定された目標値に達するように制御を行う一連の空気調和運転を実現する。
【００２４】
図１は空気調和機１が暖房運転を実行している状態を示す。このとき、圧縮機１２は暖房時循環、すなわち圧縮機１２から吐出された冷媒が先に室内熱交換器３３に入る循環様式で冷媒を循環させる。冷媒は図１において冷媒配管１７〜２０等に近接して描画した矢印の方向に循環する。
【００２５】
圧縮機１２から吐出された高温高圧気体の冷媒は室内熱交換器３３に入り、そこで室内空気との熱交換が行われる。冷媒は室内空気に対し放熱を行い、室内空気は暖められる。放熱し、凝縮して液体となった冷媒は室内熱交換器３３から流出し、膨張弁１４にて減圧される。減圧後の冷媒は室外熱交換器１６に送られ、膨張して低温低圧となり、室外熱交換器１６の表面温度を下げる。表面温度の下がった室外熱交換器１６は外気から吸熱する。吸熱後、低温気体の冷媒は圧縮機１２に戻る。室内送風機３２によって生成された気流が室内熱交換器３３からの放熱を促進し、室外送風機１５によって生成された気流が室外熱交換器１６による吸熱を促進する。
【００２６】
図２は空気調和機１が冷房運転あるいは除霜運転を行っている状態を示す。このとき、切替弁（四方弁）１３が切り替えられて暖房運転時と冷媒の流れが逆になる。圧縮機１２は冷房時循環、すなわち圧縮機１２から吐出された冷媒が先に室外熱交換器１６に入る循環様式で冷媒を循環させる。冷媒は図２において冷媒配管１７〜２０等に近接して描画した矢印の方向に循環する。
【００２７】
圧縮機１２から吐出された高温高圧気体の冷媒は室外熱交換器１６に入り、そこで外気との熱交換が行われる。冷媒は外気に対し放熱を行い、凝縮する。凝縮して液体となった冷媒は室外熱交換器１６から流出し、膨張弁１４にて減圧される。減圧後の冷媒は室内熱交換器３３に送られ、膨張して低温低圧となり、室内熱交換器３３の表面温度を下げる。表面温度の下がった室内熱交換器３３は室内空気から吸熱し、これにより室内空気は冷やされる。吸熱後、低温気体の冷媒は圧縮機１２に戻る。室外送風機１５によって生成された気流が室外熱交換器１６からの放熱を促進し、室内送風機３２によって生成された気流が室内熱交換器３３の吸熱を促進する。なお、除霜運転では室内送風機３２が動作せず、室内側で気流による熱交換を積極的に実行しない。
【００２８】
次に、室外送風機１５及び室内送風機３２に用いられるモータ５０の構成について、図７〜図１０を用いて説明する。図７及び図８はモータ５０の垂直断面図及び水平断面図である。図９及び図１０はモータ５０のロータ及びロータの収容部の部分水平断面図である。
【００２９】
モータ５０は、図７及び図８に示すように固定子であるステータ６０と、回転子であるロータ７０とを備える。
【００３０】
ステータ６０は略円筒状を成す磁性材料で構成されたステータコア６１を備える。ステータコア６１は例えば絶縁性のモールド樹脂６０ａによって被覆される。
【００３１】
ステータコア６１は円筒状を成すステータヨーク６２と、そのステータヨーク６２の内周部分から径方向内側に突出するように延びるステータティース６３とを備える。ステータティース６３の径方向内側の先端部、すなわちステータ６０の内周面はロータ７０の外周面に所定間隔ｗ１の隙間Ｇ１を設けて対向している。この隙間Ｇ１の所定間隔ｗ１としては、例えば０．５ｍｍが設定される。
【００３２】
ステータティース６３はモータ５０の周方向に、例えば９個が等角度間隔で並べて一周させて配置される。すなわち、ステータ６０には９か所のスロット６４が形成される。ステータティース６３は、例えば複数枚の鋼板をモータ軸線方向（図７の上下方向、図８の紙面に対して垂直を成す方向）に積層して一体として形成される。
【００３３】
ステータティース６３の外周には電気絶縁材料から成るボビンを構成するインシュレータ（不図示）が装着される。さらに、インシュレータの外側であってスロット６４の箇所にはモータ軸線方向に沿って電線が巻きつけられたコイル６５が形成される。このコイル６５にはロータ７０を回転駆動するための電流が供給される。
【００３４】
ロータ７０は略円柱状を成す磁性材料で構成され、ステータ６０の内側に回転可能に配置される。ロータ７０は回転軸７１と、その回転軸７１の周面に対して変位不能に固定されたロータコア７２を備える。
【００３５】
回転軸７１はその両端部が２個の軸受６６を介してステータ６０やモータケース６７などに回転可能に支持される。なお、ロータ軸線方向はモータ軸線方向と同一であって、図７の上下方向、また図８の紙面に対して垂直を成す方向に延びる。
【００３６】
ロータコア７２はその径方向において分割された外側コア７２ａと内側コア７２ｂをと有する。
【００３７】
外側コア７２ａは略円筒状を成し、その外周面に永久磁石７３が設けられる。永久磁石７３はロータ７０の周方向に、例えば８個が等角度間隔で並べて一周させて配置される。永久磁石７３はＮ極及びＳ極の２つの磁極が周方向に沿って全周にわたって交互になるように並置される。永久磁石７３はロータ軸線方向と直角を成す断面が円弧状であり、ロータ軸線方向に沿って延びる。
【００３８】
内側コア７２ｂは略円筒状を成し、外側コア７２ａの径方向内側に配置される。内側コア７２ｂの軸心部に回転軸７１が設けられる。
【００３９】
外側コア７２ａと内側コア７２ｂとの間には収容部７４が形成され、その収容部７４には例えばゴム等から成る弾性体７５が収容されて配置される。弾性体７５の収容部７４は、図９に示すように直径が異なる２つの略円筒部７４ａ、７４ｂと、それらを連結する連結部７４ｃと、を備える。
【００４０】
２つの略円筒部７４ａ、７４ｂに関して、略円筒部７４ａは径方向外側に配置され、略円筒部７４ｂは径方向内側に配置される。２つの略円筒部７４ａ、７４ｂはともに、外側コア７２ａの径方向における内面（内周面）と、内側コア７２ｂの径方向における外面（外周面）との間に設けられる。
【００４１】
連結部７４ｃは、図９及び図１０に示すように外側の略円筒部７４ａのロータ軸線方向と直角を成す円形断面における弦Ｌに沿うように配置される。連結部７４ｃは、図１０に網掛け部として示したように外側コア７２ａの平面７２ｃと内側コア７２ｂの平面７２ｄとの間でそれら平面７２ｃ、７２ｄが対向する略直方体状の空間を成し、隣接する内外の略円筒部７４ａ、７４ｂを連結する。
【００４２】
内外の略円筒部７４ａ、７４ｂは各々、３つの円弧状を成す領域に区分され、互いの円弧の端部に相当する部分が計６箇所の連結部７４ｃで連結されている（図９参照）。連結部７４ｃにおいて対向する外側コア７２ａの平面７２ｃと内側コア７２ｂの平面７２ｄとの間隔ｗ２は他の領域における外側コア７２ａの内面と内側コア７２ｂの外面との間隔、すなわち外側の略円筒部７４ａの厚みｗ３や内側の略円筒部７４ｂの厚みｗ４といった間隔よりも狭い。
【００４３】
そして、連結部７４ｃは対向し合う外側コア７２ａの平面７２ｃと内側コア７２ｂの平面７２ｄとの間隔ｗ２が、ステータ６０の内周面とロータ７０の外周面との隙間Ｇ１の間隔ｗ１の二倍以下であることが好ましい。すなわち、隙間Ｇ１の間隔ｗ１が０．５ｍｍである場合、連結部７４ｃの間隔ｗ２は１．０ｍｍ以下であることが好ましい。
【００４４】
＜第２実施形態＞
次に、本発明の第２実施形態のモータについて、図１１を用いて説明する。図１１はモータのロータの水平断面図である。なお、この実施形態の基本的な構成は先に説明した第１実施形態と同じであるので、第１実施形態と共通する構成要素には前と同じ符号を付してその説明を省略する場合がある。
【００４５】
第２実施形態のモータ５０は、図１１に示すロータ７０を備える。ロータ７０は径方向において外側コア７２ａと内側コア７２ｂとに分割されたロータコア７２を備える。外側コア７２ａと内側コア７２ｂとの間には弾性体７５の収容部７４が形成される。収容部７４は直径が異なる３つの略円筒部７４ａ、７４ｄ、７４ｂと、それらを連結する連結部７４ｃ、７４ｅと、を備える。
【００４６】
３つの略円筒部７４ａ、７４ｄ、７４ｂに関して、径方向外側から内側に向かって順に略円筒部７４ａ、７４ｄ、７４ｂが配置される。３つの略円筒部７４ａ、７４ｄ、７４ｂは各々、外側コア７２ａの径方向における内面（内周面）と、内側コア７２ｂの径方向における外面（外周面）との間に設けられる。
【００４７】
連結部７４ｃは略円筒部７４ａのロータ軸線方向と直角を成す円形断面における弦Ｌ１に沿うように配置される。また、連結部７４ｅは略円筒部７４ｄのロータ軸線方向と直角を成す円形断面における弦Ｌ２に沿うように配置される。なお、図１１において、１箇所の連結部７４ｃのみに弦Ｌ１を描画し、１箇所の連結部７４ｅのみに弦Ｌ２を描画しているが、各々他の箇所においても同様の構成を成すものであって、連結部はその径方向外側の略円筒部の弦に沿うように配置される。連結部７４ｃは外側コア７２ａの平面を成す内面と内側コア７２ｂの平面を成す外面との間でそれら平面が対向する略直方体状の空間を成し、隣接する内外の略円筒部７４ａ、７４ｄを連結する。連結部７４ｅは外側コア７２ａの平面を成す内面と内側コア７２ｂの平面を成す外面との間でそれら平面が対向する略直方体状の空間を成し、隣接する内外の略円筒部７４ｄ、７４ｂを連結する。
【００４８】
略円筒部７４ａ、７４ｂは各々３つの円弧状を成す領域に区分され、略円筒部７４ｄは６つの円弧状を成す領域に区分される。隣接する内外の略円筒部７４ａ、７４ｄは互いの円弧の端部に相当する部分が計６箇所の連結部７４ｃで連結される。隣接する内外の略円筒部７４ｄ、７４ｂは互いの円弧の端部に相当する部分が計６箇所の連結部７４ｅで連結される。
【００４９】
連結部７４ｃにおいて対向する外側コア７２ａの平面と内側コア７２ｂの平面との間隔は他の領域における外側コア７２ａの内面と内側コア７２ｂの外面との間隔、すなわち連結部７４ｃの径方向外側の略円筒部７４ａの厚みや径方向内側の略円筒部７４ｄの厚みといった間隔よりも狭い。また、連結部７４ｅにおいて対向する外側コア７２ａの平面と内側コア７２ｂの平面との間隔は他の領域における外側コア７２ａの内面と内側コア７２ｂの外面との間隔、すなわち連結部７４ｅの径方向外側の略円筒部７４ｄの厚みや径方向内側の略円筒部７４ｂの厚みといった間隔よりも狭い。
【００５０】
＜第３実施形態＞
次に、本発明の第３実施形態のモータについて、図１２を用いて説明する。図１２はモータのロータの水平断面図である。なお、この実施形態の基本的な構成は先に説明した第１実施形態と同じであるので、第１実施形態と共通する構成要素には前と同じ符号を付してその説明を省略する場合がある。
【００５１】
第３実施形態のモータ５０は、図１２に示すロータ７０を備える。ロータ７０は径方向において外側コア７２ａと内側コア７２ｂとに分割されたロータコア７２を備える。外側コア７２ａと内側コア７２ｂとの間には弾性体７５の収容部７４が形成される。収容部７４は直径が異なる２つの略円筒部７４ａ、７４ｂと、それらを連結する連結部７４ｃと、を備える。
【００５２】
内外の略円筒部７４ａ、７４ｂは各々、４つの円弧状を成す領域に区分され、互いの円弧の端部に相当する部分が計８箇所の連結部７４ｃで連結される。
【００５３】
上記実施形態のように、ステータ６０と、ロータ７０とを有するモータ５０は、ロータ７０が、外周面に永久磁石７３が設けられた略円筒状を成す外側コア７２ａと、外側コア７２ａの径方向内側に配置されて軸心部に回転軸７１が設けられた略円筒状を成す内側コア７２ｂと、外側コア７２ａの内周面と内側コア７２ｂの外周面との間に配置される弾性体７５と、外側コア７２ａの内周面と内側コア７２ｂの外周面との間に形成されて弾性体７５を収容する収容部７４と、を含む。収容部７４は、直径が異なる２つの略円筒部７４ａ、７４ｂと、外側コア７２ａの平面７２ｃと内側コア７２ｂの平面７２ｄとの間でそれら平面７２ｃ、７２ｄが対向する略直方体状の空間を成して隣接する内外の略円筒部７４ａ、７４ｂを連結する連結部７４ｃと、を備える。連結部７４ｃは、外側の略円筒部７４ａのロータ軸線方向と直角を成す円形断面における弦Ｌに沿うように配置されて外側コア７２ａの平面７２ｃと内側コア７２ｂの平面７２ｄとの間隔ｗ２が他の領域における外側コア７２ａの内面と内側コア７２ｂの外面との間隔ｗ３、ｗ４よりも狭い。
【００５４】
この構成によれば、ロータ７０の外側コア７２ａと内側コア７２ｂとが最も接近する領域が連結部７４ｃであって、それらコア各々の平面７２ｃ、７２ｄが連結部７４ｃで対向する。連結部７４ｃは外側コア７２ａと内側コア７２ｂとの径方向の相対的なずれ（偏心）をできるだけ小さくする。また、連結部７４ｃでは平面どうしが接近するので、連結部７４ｃでモータ５０の駆動時に発生する力を分散することができ、応力集中の発生を抑制することが可能である。また、連結部７４ｃが外側の略円筒部７４ａのロータ軸線方向と直角を成す円形断面における弦Ｌに沿うように配置されるので、連結部７４ｃを構成する略直方体状の空間がロータ７０の径方向や周方向とは異なる方向に延びる。これにより、モータ５０の駆動時にロータ７０の径方向や周方向に力が発生した場合でも、その力を連結部７４ｃで分散させる作用を高めることができる。このようにして、ロータ７０の破損を防止することができ、振動や騒音の発生を好適に抑制することが可能なモータ５０を得ることができる。そして、モータ５０の長寿命化を図ることができる。
【００５５】
また、収容部７４の連結部７４ｃは、外側コア７２ａの平面７２ｃと内側コア７２ｂの平面７２ｄとの間隔ｗ２がステータ６０の内周面とロータ７０の外周面との隙間Ｇ１の間隔ｗ１の二倍以下であることが好ましい。
【００５６】
この構成よれば、連結部７４ｃでモータ５０の駆動時に発生する力を分散させることが可能であることに加えて、ロータ７０の構造の高精度化を図ることができる。これにより、振動や騒音の発生をさらに効果的に抑制することが可能になる。
【００５７】
さらに実施形態では、上記構成のモータ５０を空気調和機１に設けても良い。
【００５８】
この構成によれば、空気調和機１において、モータ５０の破損を防止することができ、振動や騒音の発生を好適に抑制することが可能になる。したがって、室外機１０や室内機３０の静音化を図ることができる。
【００５９】
以上、本発明の実施形態につき説明したが、本発明の範囲はこれに限定されるものではなく、発明の主旨を逸脱しない範囲で種々の変更を加えて実施することができる。
【００６０】
例えば、上記実施形態では、ロータ７０の収容部７４が備える略円筒部は２つまたは３つであることとしたが、略円筒部の数は２つや３つに限定されるわけではなく、４つ以上設けても良い。また、上記実施形態では、２つの略円筒部７４ａ、７４ｂが各々、６箇所の連結部７４ｃで３つの円弧状を成す領域に区分されて連結される、また８箇所の連結部７４ｃで４つの円弧状を成す領域に区分されて連結されることとしたが、連結部７４ｃで連結される円弧状の領域の数は各々３つまたは４つに限定されるわけではなく、５つ以上に区分して連結部７４ｃで連結しても良い。
【産業上の利用可能性】
【００６１】
本発明はモータ及びそのモータを備えた空気調和機において利用可能である。
【符号の説明】
【００６２】
１    空気調和機
１０    室外機
１５    室外送風機
１５ａ    プロペラファン
３０    室内機
３２    室内送風機
３２ａ    クロスフローファン
５０    モータ
６０    ステータ（固定子）
７０    ロータ（回転子）
７１    回転軸
７２    ロータコア
７２ａ    外側コア
７２ｂ    内側コア
７２ｃ、７２ｄ    平面
７３    永久磁石
７４    収容部
７４ａ、７４ｂ、７４ｄ    略円筒部
７４ｃ、７４ｅ    連結部
７５    弾性体
【図１】
2017077111.tif 000003
【図２】
2017077111.tif 000004
【図３】
2017077111.tif 000005
【図４】
2017077111.tif 000006
【図５】
2017077111.tif 000007
【図６】
2017077111.tif 000008
【図７】
2017077111.tif 000009
【図８】
2017077111.tif 000010
【図９】
2017077111.tif 000011
【図１０】
2017077111.tif 000012
【図１１】
2017077111.tif 000013
【図１２】
2017077111.tif 000014